(57)【要約】【課題】貯湯タンクを収容する筐体の内部の結露水が筐体の外部へ漏れることを抑制できる貯湯式給湯機を提供する。【解決手段】貯湯式給湯機は、貯湯タンクと、貯湯タンクを収容する筐体３とを備える。筐体３は、壁を有する第一部材（側板４）と、第一部材の上側に位置する第二部材（天板５）とを備える。第二部材は、壁の外側に位置する外側部分５ａ，５ｂと、壁の内側に位置する内側部分５ｄ，５ｅとを有する。内側部分５ｄ，５ｅの少なくとも一部（内側部分５ｅ）は、壁からの距離が遠くなるように突出する。【選択図】図４
2016148497.tif 000002
【特許請求の範囲】
【請求項１】
貯湯タンクと、
前記貯湯タンクを収容する筐体と、
を備え、
前記筐体は、壁を有する第一部材と、前記第一部材の上側に位置する第二部材とを備え、
前記第二部材は、前記壁の外側に位置する外側部分と、前記壁の内側に位置する内側部分とを有し、
前記内側部分の少なくとも一部は、前記壁からの距離が遠くなるように突出する貯湯式給湯機。
【請求項２】
前記第一部材は、前記筐体の側面を有する部材であり、
前記第二部材は、前記筐体の上面を有する部材である請求項１に記載の貯湯式給湯機。
【請求項３】
前記第一部材は、前記筐体の底面を有する部材であり、
前記第二部材は、前記筐体の側面を有する部材である請求項１に記載の貯湯式給湯機。
【請求項４】
前記内側部分の突出する部分の少なくとも一部は、基端の位置より先端の位置が低くなるように傾斜している請求項１から請求項３のいずれか一項に記載の貯湯式給湯機。
【請求項５】
前記外側部分及び前記内側部分は、金属板を曲げることで形成されている請求項１から請求項４のいずれか一項に記載の貯湯式給湯機。
【請求項６】
前記第二部材は、前記第二部材の内面に付着した水を溜める受け部を有する請求項１から請求項５のいずれか一項に記載の貯湯式給湯機。
【発明の詳細な説明】
【技術分野】
【０００１】
本発明は、貯湯式給湯機に関する。
【背景技術】
【０００２】
ヒートポンプユニット等の加熱手段によって水を加熱して得られた高温の湯を貯湯タンクに貯留し、必要時に貯湯タンクから湯を取り出して給湯端末に供給するように構成された貯湯式給湯機が広く用いられている。貯湯タンクは、屋外に設置される場合が多い。貯湯タンクは、金属板等で形成される筐体に収容される。
【０００３】
下記特許文献１に開示された従来の貯湯式給湯機では、筐体の側面を形成する側板の上端部の外側を天板が覆う。また、筐体の底板の外側を側板で囲む。このような構造により、筐体の内部への雨水浸入を防止している。
【先行技術文献】
【特許文献】
【０００４】
【特許文献１】特開２００９−１７４７６５号公報
【発明の概要】
【発明が解決しようとする課題】
【０００５】
上述した従来の筐体構造では、筐体の天板の内面に付着した結露水が当該内面を伝って流れ、天板と側板との隙間から筐体の外部へ漏れる場合がある。また、筐体の側板の内面に付着した結露水が当該内面を伝って下へ落ち、側板と底板との隙間から筐体の外部へ漏れる場合がある。これらの場合に、貯湯タンクまたは内部配管からの水漏れであると使用者が誤解する可能性がある。
【０００６】
本発明は、上述のような課題を解決するためになされたもので、貯湯タンクを収容する筐体の内部の結露水が筐体の外部へ漏れることを抑制できる貯湯式給湯機を提供することを目的とする。
【課題を解決するための手段】
【０００７】
本発明に係る貯湯式給湯機は、貯湯タンクと、貯湯タンクを収容する筐体と、を備え、筐体は、壁を有する第一部材と、第一部材の上側に位置する第二部材とを備え、第二部材は、壁の外側に位置する外側部分と、壁の内側に位置する内側部分とを有し、内側部分の少なくとも一部は、壁からの距離が遠くなるように突出するものである。
【発明の効果】
【０００８】
本発明の貯湯式給湯機によれば、貯湯タンクを収容する筐体の内部の結露水が筐体の外部へ漏れることを抑制することが可能となる。
【図面の簡単な説明】
【０００９】
【図１】本発明の実施の形態１の貯湯式給湯機を示す斜視図である。
【図２】本発明の実施の形態１の貯湯式給湯機の他の例を示す斜視図である。
【図３】図１に示す貯湯式給湯機を水平面に対して垂直な平面で切断した断面図である。
【図４】図３の一部を拡大した断面図である。
【図５】本発明の実施の形態２の貯湯式給湯機が備える筐体の側板と天板との接合部を示す断面図である。
【図６】本発明の実施の形態３の貯湯式給湯機が備える筐体の側板と天板との接合部を示す断面図である。
【図７】本発明の実施の形態４の貯湯式給湯機の筐体の下部を水平面に対して垂直な平面で切断した断面図である。
【図８】本発明の実施の形態５の貯湯式給湯機の筐体の下部を水平面に対して垂直な平面で切断した断面図である。
【図９】本発明の実施の形態６の貯湯式給湯機が備える筐体の天板の角部の透視斜視図である。
【図１０】本発明の実施の形態６の貯湯式給湯機が備える筐体の天板の角部を水平面で切断した断面図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す斜視図である。図１に示す貯湯式給湯機１は、略円筒形の貯湯タンク２と、貯湯タンク２を収容する筐体３とを備える。筐体３は、複数の脚（図示省略）を介して地面、台座等に固定される。貯湯タンク２の内部には、熱源（図示省略）により加熱された高温の湯を上側に貯め、水道等の水源から供給される水を下側に貯めることができる。貯湯タンク２の内部の、上側の湯と下側の水とは、比重差により、混じり合うことなく貯留される。熱源は、例えば、ヒートポンプ装置、電気ヒータ、太陽熱温水器、燃焼式ボイラ、またはこれらの組み合わせなど、いかなるものでも良い。本実施の形態では、貯湯タンク２を覆う断熱材の図示を省略する。筐体３の内部には、各種の配管、ポンプ、熱交換器、弁などが備えられても良いが、これらについても図示を省略する。
【００１２】
図１に示す筐体３の外形は、おおむね直方体である。この筐体３は、筐体３の側面を形成する側板４と、筐体３の上面を形成する天板５とを備える。筐体３の側面とは、水平面に対して垂直な面で、貯湯タンク２の周囲を囲む面である。図１に示す筐体３の側面は、平面である。側板４は、水平面に対して垂直な平板状の壁を有する。天板５を上から見た外形は、長方形である。本実施の形態１では、側板４が第一部材に相当する。天板５が、第一部材（側板４）の上側に位置する第二部材に相当する。
【００１３】
図２は、本発明の実施の形態１の貯湯式給湯機１の他の例を示す斜視図である。図２に示す貯湯式給湯機１が備える筐体３の外形は、おおむね円柱状である。この筐体３は、筐体３の側面を形成する側板４と、筐体３の上面を形成する天板５とを備える。図１に示す筐体３の側面は、円筒面である。側板４は、水平面に対して垂直な円筒状の壁を有する。天板５を上から見た外形は、円形である。以下の説明では、図１に示す形状の筐体３を例に説明するが、本発明は、図２に示す形状の筐体３にも同様に適用可能である。
【００１４】
図３は、図１に示す貯湯式給湯機１を水平面に対して垂直な平面で切断した断面図である。図３に示すように、天板５は、側板４の壁の上端部の外側に位置する外側部分５ａ，５ｂと、側板４の壁の上端部の内側に位置する内側部分５ｄ，５ｅとを備える。天板５が外側部分５ａ，５ｂを備えることで、天板５と側板４との隙間から雨水が筐体３の内部に侵入することを抑制できる。筐体３は、筐体３の底面を形成する底板６をさらに備える。底板６は、壁６ａを備える。壁６ａは、底板６の周縁部において上方へ延びる。側板４の下端部は、底板６の縁部（壁６ａ）の外側に位置する。これにより、側板４と底板６との隙間から雨水が筐体３の内部に侵入することを抑制できる。
【００１５】
貯湯タンク２の熱の一部が断熱材を通過することで、筐体３の内部の空気が暖められる。暖められた空気は、筐体３の内部で上昇し、天板５の内側に集まる。外気温度が天板５の内側の気温に比べて低い場合、天板５の内面に結露水２０が付着することがある。
【００１６】
図４は、図３の一部を拡大した断面図である。図４は、側板４と天板５との接合部を示す。図４に示すように、天板５の外側部分５ａは、外側部分５ｂのさらに外側に位置する。外側部分５ａの下端部と、外側部分５ｂの下端部とは、曲げ部５ｃを介してつながっている。曲げ部５ｃは、円弧状に曲げられている。外側部分５ｂと、内側部分５ｄとは、側板４の壁の上端部を挟む。これにより、天板５と側板４との位置関係を適正位置に確実に保持できる。外側部分５ｂの上端部と、内側部分５ｄの上端部とは、曲げ部５ｆを介してつながっている。曲げ部５ｆは、円弧状に曲げられている。
【００１７】
内側部分５ｅは、側板４の壁からの距離が遠くなるように、筐体３の内部へ向かって突出している。内側部分５ｄの下端部と、内側部分５ｅの基端部とは、曲げ部５ｇを介してつながっている。曲げ部５ｇは、ほぼ直角に曲げられている。内側部分５ｅは、ほぼ水平方向に突出している。
【００１８】
外側部分５ａと外側部分５ｂとの間には、水の受け部５ｈとなる空間が形成されている。天板５の内面に付着した結露水２０が当該内面を伝って天板５の外周部へ流れると、結露水２０は、まず、受け部５ｈに溜まる。結露水２０が受け部５ｈから溢れると、結露水２０は、内側部分５ｄ，５ｅを伝って流れ、内側部分５ｅの先端から落下する。内側部分５ｅの先端は、側板４の内壁から離れている。このため、内側部分５ｅの先端から落下した結露水２０は、側板４の内壁に接触しない。その結果、結露水２０が側板４の内壁を伝って落下することを抑制できる。
【００１９】
結露水２０が側板４の内壁を伝って落下すると、側板４の下端部と底板６との隙間から結露水２０が筐体３の外部へ漏れる場合がある。その場合、筐体３の内部の配管または貯湯タンク２からの水漏れであると使用者が誤解する可能性がある。本実施の形態１によれば、結露水２０が側板４の内壁を伝って落下することを抑制することで、結露水２０が筐体３の外部へ漏れることを抑制できる。このため、使用者がそのように誤解することを防止できる。
【００２０】
本実施の形態１では、外側部分５ａ，５ｂ及び内側部分５ｄ，５ｅは、金属板を曲げることで一体的に形成されている。これにより、外側部分５ａ，５ｂ及び内側部分５ｄ，５ｅを低コストで形成できる。
【００２１】
本実施の形態１では、結露水２０を溜める受け部５ｈを天板５に備えたことで、天板５の内面に付着した結露水２０が側板４の内壁に付着することをより確実に抑制できる。このため、結露水２０が側板４の内壁を伝って落下することをより確実に抑制できる。ただし、受け部５ｈが無くても、前述した効果は得られる。
【００２２】
実施の形態２．
次に、図５を参照して、本発明の実施の形態２について説明するが、上述した実施の形態１との相違点を中心に説明し、同一部分または相当部分は同一符号を付し説明を省略する。図５は、本発明の実施の形態２の貯湯式給湯機１が備える筐体３の側板４と天板５との接合部を示す断面図である。
【００２３】
本実施の形態２は、天板５が内側部分５ｉ及び曲げ部５ｊをさらに備えること以外は、実施の形態１と同様である。図５に示すように、内側部分５ｉは、側板４の壁からの距離が遠くなるように、筐体３の内部へ向かって突出している。内側部分５ｉの基端部と、内側部分５ｅの先端部とは、曲げ部５ｊを介してつながっている。内側部分５ｉは、基端の位置より先端の位置が低くなるように傾斜している。
【００２４】
受け部５ｈに溜まった結露水２０が溢れると、結露水２０は、内側部分５ｄ，５ｅ，５ｉを伝って流れ、内側部分５ｉの先端から落下する。内側部分５ｉの先端は、側板４の内壁から離れている。このため、内側部分５ｉの先端から落下した結露水２０は、側板４の内壁に接触しない。その結果、結露水２０が側板４の内壁を伝って落下することを抑制できる。
【００２５】
本実施の形態では、下方へ傾斜する内側部分５ｉを設けたことで、内側部分５ｉを伝って流れた結露水２０が、側板４の内壁からさらに離れる方向に斜めに落下する。このため、結露水２０が側板４の内壁に付着することをより確実に抑制できる。
【００２６】
実施の形態３．
次に、図６を参照して、本発明の実施の形態３について説明するが、上述した実施の形態１との相違点を中心に説明し、同一部分または相当部分は同一符号を付し説明を省略する。図６は、本発明の実施の形態３の貯湯式給湯機１が備える筐体３の側板４と天板５との接合部を示す断面図である。
【００２７】
本実施の形態３は、天板５が、実施の形態１の内側部分５ｄ，５ｅ及び曲げ部５ｆ，５ｇに代えて、内側部分５ｋ及び曲げ部５ｍを備えること以外は、実施の形態１と同様である。図６に示すように、内側部分５ｋは、側板４の壁からの距離が遠くなるように、筐体３の内部へ向かって突出している。内側部分５ｋの基端部と、外側部分５ｂの上端部とは、曲げ部５ｍを介してつながっている。曲げ部５ｍは、鋭角に曲げられている。内側部分５ｋは、基端の位置より先端の位置が低くなるように傾斜している。
【００２８】
受け部５ｈに溜まった結露水２０が溢れると、結露水２０は、内側部分５ｋを伝って流れ、内側部分５ｋの先端から落下する。内側部分５ｋの先端は、側板４の内壁から離れている。このため、内側部分５ｋの先端から落下した結露水２０は、側板４の内壁に接触しない。その結果、結露水２０が側板４の内壁を伝って落下することを抑制できる。
【００２９】
本実施の形態では、内側部分５ｋが下方へ傾斜していることで、内側部分５ｋを伝って流れた結露水２０が、側板４の内壁からさらに離れる方向に斜めに落下する。このため、結露水２０が側板４の内壁に付着することをより確実に抑制できる。
【００３０】
実施の形態４．
次に、図７を参照して、本発明の実施の形態４について説明するが、上述した実施の形態１との相違点を中心に説明し、同一部分または相当部分は同一符号を付し説明を省略する。図７は、本発明の実施の形態４の貯湯式給湯機１の筐体３の下部を水平面に対して垂直な平面で切断した断面図である。本実施の形態４では、底板６が第一部材に相当する。側板４が、第一部材（底板６）の上側に位置する第二部材に相当する。
【００３１】
図７に示すように、底板６は、壁６ａを備える。壁６ａは、底板６の縁部において上方へ延びる。側板４は、底板６の壁６ａの外側に位置する外側部分４ａ，４ｂと、底板６の壁６ａの内側に位置する内側部分４ｄ，４ｅとを備える。側板４が外側部分４ａ，４ｂを備えることで、側板４と底板６との隙間から雨水が筐体３の内部に侵入することを抑制できる。側板４の外側部分４ａは、外側部分４ｂのさらに外側に位置する。外側部分４ａの下端部と、外側部分４ｂの下端部とは、曲げ部４ｃを介してつながっている。曲げ部４ｃは、円弧状に曲げられている。外側部分４ｂと、内側部分４ｄとは、底板６の壁６ａを挟む。これにより、側板４と底板６との位置関係を適正位置に確実に保持できる。外側部分４ｂの上端部と、内側部分４ｄの上端部とは、曲げ部４ｆを介してつながっている。曲げ部４ｆは、円弧状に曲げられている。
【００３２】
内側部分４ｅは、底板６の壁６ａからの距離が遠くなるように、筐体３の内部へ向かって突出している。内側部分４ｄの下端部と、内側部分４ｅの基端部とは、曲げ部４ｇを介してつながっている。曲げ部４ｇは、ほぼ直角に曲げられている。内側部分４ｅは、ほぼ水平方向に突出している。
【００３３】
外側部分４ａと外側部分４ｂとの間には、水の受け部４ｈとなる空間が形成されている。外気温が側板４の内側の気温より低い場合、側板４の内面で水が結露する可能性がある。側板４の内面に付着した結露水２０が当該内面を伝って落下すると、この結露水２０は、まず、受け部４ｈに溜まる。結露水２０が受け部４ｈから溢れると、結露水２０は、内側部分４ｄ，４ｅを伝って流れ、内側部分４ｅの先端から落下する。内側部分４ｅの先端は、底板６の壁６ａの内壁から離れている。このため、内側部分４ｅの先端から落下した結露水２０は、底板６の壁６ａの内壁に接触しない。
【００３４】
結露水２０が底板６の壁６ａの内壁に接触すると、この結露水２０が、表面張力により、底板６と側板４との隙間を伝って、筐体３の外部へ漏れる可能性がある。その場合、筐体３の内部の配管または貯湯タンク２からの水漏れであると使用者が誤解する可能性がある。本実施の形態によれば、結露水２０が底板６の壁６ａの内壁に接触することを抑制することで、結露水２０が筐体３の外部へ漏れることを抑制できる。このため、使用者がそのように誤解することを防止できる。
【００３５】
本実施の形態では、外側部分４ａ，４ｂ及び内側部分４ｄ，４ｅは、金属板を曲げることで一体的に形成されている。これにより、外側部分４ａ，４ｂ及び内側部分４ｄ，４ｅを低コストで形成できる。
【００３６】
本実施の形態では、結露水２０を溜める受け部４ｈを側板４に備えたことで、側板４の内面に付着した結露水２０が底板６の壁６ａの内壁に付着することをより確実に抑制できる。ただし、受け部４ｈが無くても、前述した効果は得られる。
【００３７】
実施の形態５．
次に、図８を参照して、本発明の実施の形態５について説明するが、上述した実施の形態４との相違点を中心に説明し、同一部分または相当部分は同一符号を付し説明を省略する。図８は、本発明の実施の形態５の貯湯式給湯機１の筐体３の下部を水平面に対して垂直な平面で切断した断面図である。本実施の形態５では、底板６が第一部材に相当し、側板４が、第一部材（底板６）の上側に位置する第二部材に相当する。
【００３８】
本実施の形態５は、側板４が、実施の形態４の内側部分４ｄ，４ｅ及び曲げ部４ｆ，４ｇに代えて、内側部分４ｋ及び曲げ部４ｍを備えること以外は、実施の形態４と同様である。図８に示すように、内側部分４ｋは、底板６の壁６ａからの距離が遠くなるように、筐体３の内部へ向かって突出している。内側部分４ｋの基端部と、外側部分４ｂの上端部とは、曲げ部４ｍを介してつながっている。曲げ部４ｍは、鋭角に曲げられている。内側部分４ｋは、基端の位置より先端の位置が低くなるように傾斜している。
【００３９】
受け部４ｈに溜まった結露水２０が溢れると、結露水２０は、内側部分４ｋを伝って流れ、内側部分４ｋの先端から落下する。内側部分４ｋの先端は、底板６の壁６ａの内壁から離れている。このため、内側部分４ｋの先端から落下した結露水２０は、底板６の壁６ａの内壁に接触しない。本実施の形態５では、内側部分４ｋが下方へ傾斜していることで、内側部分４ｋを伝って流れた結露水２０が、底板６の壁６ａの内壁からさらに離れる方向に斜めに落下する。このため、底板６の壁６ａの内壁に付着することをより確実に抑制できる。
【００４０】
実施の形態６．
次に、図９及び図１０を参照して、本発明の実施の形態６について説明するが、上述した実施の形態１との相違点を中心に説明し、同一部分または相当部分は同一符号を付し説明を省略する。本実施の形態６の貯湯式給湯機１の筐体３の外形は、図１と同様に、おおむね直方体である。
【００４１】
図９は、本実施の形態６の貯湯式給湯機１が備える筐体３の天板５の角部の透視斜視図である。図９に示すように、天板５の角部には、外側部分５ｂ、曲げ部５ｃ、内側部分５ｄ，５ｅ、曲げ部５ｆ，５ｇ、及び受け部５ｈが形成されていない部分がある。
【００４２】
図１０は、本実施の形態６の貯湯式給湯機１が備える筐体３の天板５の角部を水平面で切断した断面図である。図１０に示すように、天板５の角部の、外側部分５ｂ、曲げ部５ｃ、内側部分５ｄ，５ｅ、曲げ部５ｆ，５ｇ、及び受け部５ｈが形成されていない部分には、シール材７が設置されている。シール材７は、外側部分５ｂ、曲げ部５ｃ、内側部分５ｄ，５ｅ、及び曲げ部５ｆ，５ｇの端面と、外側部分５ａの内面とに密着している。本実施の形態６では、シール材７を備えたことで、受け部５ｈに溜まった結露水２０が天板５の角部から筐体３の外部へ漏れることを確実に防止できる。なお、図９は、シール材７を設置する前の状態を示している。
【００４３】
以上、本発明の実施の形態について説明したが、本発明では、上述した複数の実施の形態の特徴を任意に組み合わせて実施することが可能である。
【符号の説明】
【００４４】
１  貯湯式給湯機、２  貯湯タンク、３  筐体、４  側板、４ａ，４ｂ  外側部分、４ｃ  曲げ部、４ｄ，４ｅ  内側部分、４ｆ，４ｇ  曲げ部、４ｈ  受け部、４ｋ  内側部分、４ｍ  曲げ部、５  天板、５ａ，５ｂ  外側部分、５ｃ  曲げ部、５ｄ，５ｅ  内側部分、５ｆ，５ｇ  曲げ部、５ｈ  受け部、５ｉ  内側部分、５ｊ  曲げ部、５ｋ  内側部分、５ｍ  曲げ部、６  底板、６ａ  壁、７  シール材、２０  結露水
【図１】
2016148497.tif 000003
【図２】
2016148497.tif 000004
【図３】
2016148497.tif 000005
【図４】
2016148497.tif 000006
【図５】
2016148497.tif 000007
【図６】
2016148497.tif 000008
【図７】
2016148497.tif 000009
【図８】
2016148497.tif 000010
【図９】
2016148497.tif 000011
【図１０】
2016148497.tif 000012